(57)【特許請求の範囲】
【請求項１】
無線回線を介して相手無線装置と接続されて、搬送波周波数の異なる複数のブルートゥース(登録商標:Bluetooth)チャネルのうちから予め設定されている通信条件に基づき順次選択したチャネルを用いて前記相手無線装置とブルートゥース無線通信方式に基づく無線データ通信を行う無線通信装置であって、
無線ＬＡＮ通信装置で使用する使用無線ＬＡＮチャネルを受け付け、１つの無線ＬＡＮチャネルを使用した際にその搬送波周波数に対応して使用不可とするブルートゥースチャネルの数を示す単位チャネル数に基づいて、前記チャネル受付手段で受け付けた使用無線ＬＡＮチャネルによる各ブルートゥースチャネルの使用可否を指定するチャネル受付手段と、
前記チャネル受付手段で得られた使用可否を前記通信条件として設定する通信条件設定手段と、
前記チャネル受付手段により使用可と指定されたチャネルの使用可チャネル数が、前記無線データ通信に最低限必要なミニマムチャネル数を下回った場合、前記使用無線ＬＡＮチャネルを使用できない旨の第１の警報を出力し、前記使用可チャネル数が、前記ミニマムチャネル数と前記単位チャネル数との和からなる追加使用可否判定チャネル数を下回った場合、新たな無線ＬＡＮチャネルを追加使用できない旨の第２の警報を出力するチャネル数検査手段と
を備えることを特徴とする無線通信装置。
【請求項２】
無線回線を介して相手無線装置と接続されて、搬送波周波数の異なる複数のブルートゥース(登録商標:Bluetooth)チャネルのうちから予め設定されている通信条件に基づき順次選択したチャネルを用いて前記相手無線装置とブルートゥース無線通信方式に基づく無線データ通信を行う無線通信装置のコンピュータに、
無線ＬＡＮ通信装置で使用する使用無線ＬＡＮチャネルを受け付け、１つの無線ＬＡＮチャネルを使用した際にその搬送波周波数に対応して使用不可とするブルートゥースチャネルの数を示す単位チャネル数に基づいて、前記チャネル受付手段で受け付けた使用無線ＬＡＮチャネルによる各ブルートゥースチャネルの使用可否を指定するチャネル受付ステップと、
前記チャネル受付ステップで受け付けたチャネル使用可否を前記通信条件として設定する通信条件設定ステップと、
前記チャネル受付ステップにより使用可と指定されたチャネルの使用可チャネル数が、前記無線データ通信に最低限必要なミニマムチャネル数を下回った場合、前記使用無線ＬＡＮチャネルを使用できない旨の第１の警報を出力し、前記使用可チャネル数が、前記ミニマムチャネル数と前記単位チャネル数との和からなる追加使用可否判定チャネル数を下回った場合、新たな無線ＬＡＮチャネルを追加使用できない旨の第２の警報を出力するチャネル数監視ステップと
を実行させるプログラム。
【発明の詳細な説明】
【技術分野】
【０００１】
本発明は、無線通信技術に関し、特にブルートゥース(登録商標:Bluetooth)通信方式で用いるスペクトラム拡散変調方式の周波数ホッピング技術に関する。
【背景技術】
【０００２】
汎用無線インターフェースであるブルートゥース無線通信方式では、変調方式として周波数ホッピング・スペクトラム拡散（FHSS:Frequency Hopping Spread Spectrum）変調方式が用いられている（非特許文献１など参照）。この周波数ホッピング・スペクトラム拡散変調方式は、一定時間ごとに搬送波周波数を変えてすなわち周波数ホッピングして伝送する方式である。
一般に、任意の帯域幅の電力は周波数ホッピングする周期に対して十分長い時間で平均すると低くなるので他のシステムの通信を妨害しにくく、また特定の周波数に妨害波が存在してもすぐ別の周波数にホッピングするので他のシステムからの干渉に強いといわれている。
【０００３】
ブルートゥース無線通信方式では、２．４ＧＨｚ帯に１ＭＨｚ間隔で７９個または２３個のチャネルを設け、通信開始時にマスタ側とスレーブ側との間で設定したチャネル選択順に基づき、１６００回／秒という速度で周波数ホッピングを繰り返し、その際、選択したチャネルを用いて相手無線装置と所望のパケットを送受信することにより、データ通信を行うものとなっている。
【０００４】
従来、このような周波数ホッピング技術として、他の機器から送信されている電波により任意のチャネルでパケット送受信のエラーが発生した場合、そのチャネルを使用不可とするアダプティブ周波数ホッピング（以下、ＡＦＨという：Adaptive Frequency Hopping）技術が使用される（例えば、非特許文献２など参照／Bluetooth 1.2）。
このアダプティブ周波数ホッピング技術によれば、使用不可と判断されたチャネルはチャネル選択順から除外されるため、そのチャネルに対してそれ以降周波数ホッピングが行われなくなり、当該チャネルの搬送波周波数における他の装置との電波の相互干渉や、同種の無線通信装置との当該チャネルにおけるパケット送受信の衝突による無線通信の途切れを低減できる。
【０００５】
一方、ブルートゥース無線通信方式と同様に、産業科学医療用に用意されたＩＳＭ（Industrial Scientific Medical）バンドの周波数を用いて無線通信を行う汎用無線インターフェースとして、各種のスペクトラム拡散変調方式を用いる無線ＬＡＮ通信方式がある（非特許文献３など参照）。
例えば、無線ＬＡＮ通信方式のIEEE 802.11gでは、２．４ＧＨｚ帯に５ＭＨｚ間隔で設定された搬送波周波数を用いる１３個のチャネルを設け、ＣＳＭＡ／ＣＡ（Carrier Sense Multiple Access with Collision Avoidance）方式により無線通信を行う。
【０００６】
ＣＳＭＡ／ＣＡ方式では、まず、使用するチャネルからデータを送信する前に、他無線通信装置が当該チャネルでデータ送信をしていないかを調べ(Carrier Sense)、さらに自分宛のデータが送信されてきていないかを調べる(Sense Multiple Access)。その結果、衝突の心配がないと判断したらデータを送信し、他に通信中の無線通信装置があった場合には送信待機(Collision Avoidance)となる。この送信待機では、ランダムに割り当てられた時間を待ってから再度上記手順を繰り返す。また、全く同時に２つの無線通信装置が送信を始めて衝突した場合は、エラー回復ができないため上位層レベルで再送が行われる。
【０００７】
したがって、ＩＳＭバンドを共用する無線ＬＡＮ通信装置とブルートゥース無線通信装置との間で電波干渉が発生した場合、ブルートゥース無線通信装置と共用される無線ＬＡＮ通信装置の無線通信環境を良好に保つことができない。
【０００８】
例えば、ブルートゥース無線通信方式のＡＦＨでは、無線ＬＡＮ通信方式のようなキャリアセンス動作は行わず、選択したチャネルでパケット送受信を行い、その通信エラーの有無に応じて当該チャネルの使用可否を判断している。この際、無線ＬＡＮ通信装置の通信エリア内でブルートゥース無線通信装置を共用する場合、信号送受信のタイミングによってはブルートゥース無線通信装置がチャネルを優先的に確保してしまい、無線ＬＡＮ通信装置で対応する周波数のチャネルを確保できなくなり、無線ＬＡＮ通信装置の無線通信環境が悪化する場合がある。
【０００９】
このような無線通信環境が悪化を回避する技術として、無線ＬＡＮ通信方式で用いる無線ＬＡＮチャネルを優先して確保し、無線ＬＡＮ通信方式で使用していない周波数帯域をブルートゥース無線通信方式のチャネルとして用いる方法が考えられる。具体的には、利用者がブルートゥース無線通信装置に無線ＬＡＮ通信方式で用いる使用無線ＬＡＮチャネルを設定入力し、ブルートゥース無線通信装置において、その使用無線ＬＡＮチャネルに対応するブルートゥースチャネルを使用不可とすればよい。
【００１０】
【非特許文献１】http://www.bluetooth.org/spec/
【非特許文献２】http://www.ericsson.com/bluetooth/files/whitepaper_on_afh_final.pdf
【非特許文献３】http://grouper.ieee.org/groups/802/11/
【発明の開示】
【発明が解決しようとする課題】
【００１１】
しかしながら、このような従来技術において、ブルートゥース無線通信装置で、利用者による使用無線ＬＡＮチャネルの設定に応じて、その使用無線ＬＡＮチャネルに対応するブルートゥースチャネルを順次使用不可とした場合、利用者がブルートゥースチャネルに対する使用不可設定状況を容易に把握できないことから、使用無線ＬＡＮチャネルの増加に伴って、最低限必要となるブルートゥースチャネルの数すなわちミニマムチャネル数に関わらず、使用可能なブルートゥースチャネル数が削減されてしまい、結果としてＩＳＭバンドでの無線通信環境を良好に保つことができないという問題点があった。
【００１２】
周波数ホッピング方式を用いるブルートゥース無線通信装置については、電波法に代表される各種規格において、空中線電力の大きさがチャネル単位で制限されている。このため、使用可能なチャネル数が減少すれば、同一チャネルを繰り返し使用することになり、当該チャネル当たりの平均空中線電力が規定値を上回ってしまい、ＩＳＭバンドを使用する他の無線通信システムに悪影響を与えてしまう場合もある。一般に、１チャネル当たりの平均空中線電力が規定値を満足するため必要とされる最小チャネル数をミニマムチャネル数といい、ブルートゥース無線通信装置が送出する空中線電力の大きさに応じた装置固有の値をとる。
【００１３】
本発明はこのような課題を解決するためのものであり、利用者による使用不可チャネルの指定に応じて対応するチャネルを使用不可と設定する場合でも、使用周波数バンドでの無線通信環境を良好に保つことができる無線通信装置およびプログラムを提供することを目的としている。
【課題を解決するための手段】
【００１７】
このような目的を達成するために、本発明にかかる無線通信装置は、無線回線を介して相手無線装置と接続されて、搬送波周波数の異なる複数のブルートゥース(登録商標:Bluetooth)チャネルのうちから予め設定されている通信条件に基づき順次選択したチャネルを用いて相手無線装置とブルートゥース無線通信方式に基づく無線データ通信を行う無線通信装置であって、無線ＬＡＮ通信装置で使用する使用無線ＬＡＮチャネルを受け付け、１つの無線ＬＡＮチャネルを使用した際にその搬送波周波数に対応して使用不可とするブルートゥースチャネルの数を示す単位チャネル数に基づいて、チャネル受付手段で受け付けた使用無線ＬＡＮチャネルによる各ブルートゥースチャネルの使用可否を指定するチャネル受付手段と、チャネル受付手段で得られた使用可否を通信条件として設定する通信条件設定手段と、チャネル受付手段により使用可と指定されたチャネルの使用可チャネル数が、無線データ通信に最低限必要なミニマムチャネル数を下回った場合、使用無線ＬＡＮチャネルを使用できない旨の第１の警報を出力し、使用可チャネル数が、無線データ通信に最低限必要なミニマムチャネル数と単位チャネル数との和からなる追加使用可否判定チャネル数を下回った場合、新たな無線ＬＡＮチャネルを追加使用できない旨の第２の警報を出力するチャネル数検査手段とを備えている。
【００１９】
また、本発明にかかるプログラムは、無線回線を介して相手無線装置と接続されて、搬送波周波数の異なる複数のブルートゥース(登録商標:Bluetooth)チャネルのうちから予め設定されている通信条件に基づき順次選択したチャネルを用いて相手無線装置とブルートゥース無線通信方式に基づく無線データ通信を行う無線通信装置のコンピュータに、無線ＬＡＮ通信装置で使用する使用無線ＬＡＮチャネルを受け付け、１つの無線ＬＡＮチャネルを使用した際にその搬送波周波数に対応して使用不可とするブルートゥースチャネルの数を示す単位チャネル数に基づいて、チャネル受付手段で受け付けた使用無線ＬＡＮチャネルによる各ブルートゥースチャネルの使用可否を受け付けるチャネル受付ステップと、チャネル受付ステップで受け付けたチャネル使用可否を通信条件として設定する通信条件設定ステップと、チャネル受付ステップにより使用可と指定されたチャネルの使用可チャネル数が、無線データ通信に最低限必要なミニマムチャネル数を下回った場合、使用無線ＬＡＮチャネルを使用できない旨の第１の警報を出力し、使用可チャネル数が、ミニマムチャネル数と単位チャネル数との和からなる追加使用可否判定チャネル数を下回った場合、新たな無線ＬＡＮチャネルを追加使用できない旨の第２の警報を出力するチャネル数監視ステップとを実行させる。
【発明の効果】
【００２０】
本発明によれば、無線通信装置において、チャネル受付手段で受け付けたチャネル使用可否を無線データ通信の通信条件として通信条件設定手段で設定する際、使用可と指定されたチャネルの使用可チャネル数が、無線データ通信に最低限必要なミニマムチャネル数を下回った場合、使用無線ＬＡＮチャネルを使用できない旨の第１の警報を出力するようにしたので、例えば無線ＬＡＮ通信装置で用いる使用無線ＬＡＮチャネルに応じたブルートゥースチャネル番号が使用不可と設定され、使用可チャネル数が削減されて当該無線通信装置での無線データ通信に最低限必要なミニマムチャネル数を下回った場合に、自動的にエラー表示を行うことができる。
【００２１】
したがって、使用可チャネル数が削減されて当該無線通信装置での無線データ通信に支障を来す程度まで、利用者により使用無線ＬＡＮチャネルが指定された場合には、その指定に対してエラー表示により直ちに警告することができる。
これにより、当該無線通信装置での無線データ通信において同一チャネルが繰り返し使用されて、当該チャネル当たりの平均空中線電力が規定値を上回ってしまい、ＩＳＭバンドを使用する他の無線通信システムに悪影響を与えてしまうという事態を事前に回避でき、結果としてＩＳＭバンドでの無線通信環境を良好に保つことができる。
【００２２】
また、使用可チャネル数が、ミニマムチャネル数と単位チャネル数との和からなる追加使用可否判定チャネル数を下回った場合、新たな無線ＬＡＮチャネルを追加使用できない旨の第２の警報を出力するようにしたので、例えば無線ＬＡＮ通信装置で用いる使用無線ＬＡＮチャネルが設定されてブルートゥースチャネルの使用可チャネル数が削減された場合、新たな無線ＬＡＮチャネルを追加使用できない旨を、利用者に対して自動的に通知することができる。
【発明を実施するための最良の形態】
【００２３】
次に、本発明の実施の形態について図面を参照して説明する。
［第１の実施の形態］
まず、図１を参照して、本発明の第１の実施の形態にかかる無線通信装置について説明する。図１は、本発明の第１の実施の形態にかかる無線通信装置の構成を示すブロック図である。
この無線通信装置（マスタ側）１は、ブルートゥース無線通信方式の周波数ホッピング・スペクトラム拡散（FHSS:Frequency Hopping Spread Spectrum）変調方式に基づいて、無線回線３を介して相手無線装置（スレーブ側）２と無線データ通信を行う通信装置である。
【００２４】
本実施の形態は、無線通信装置により、無線データ通信に用いる各チャネルに対して指定された使用可否を、無線データ通信の通信条件として設定する際、各チャネルのうち使用可と指定されたチャネルの使用可チャネル数と所定のしきい値を比較し、その比較結果に応じて警報を出力するようにしたものである。
【００２５】
無線通信装置１には、表示部１１、操作入力部１２、記憶部１３、制御部１４、および無線モジュール１５が設けられている。
表示部１１は、ＬＣＤやＬＥＤなどの表示装置からなり、制御部１４からの指示に応じて各種可視表示を行う機能を有している。
操作入力部１２は、操作キーなどの操作入力装置からなり、利用者の操作を検出して制御部１４へ出力する機能を有している。
【００２６】
記憶部１３は、メモリなどの記憶装置からなり、制御部１４での処理動作に用いる各種処理情報やプログラム１３Ｐを記憶する機能を有している。プログラム１３Ｐは、予め外部装置や記録媒体から読み出されて記憶部１３へ格納される。
記憶部１３で記憶される主な処理情報としては、無線ＬＡＮチャネル管理情報１３Ａ、およびブルートゥースチャネル管理情報（以下、ＢＴチャネル管理情報という）１３Ｂがある。
【００２７】
無線ＬＡＮチャネル管理情報１３Ａは、当該無線通信装置１の近傍でＩＳＭバンドを共用する無線ＬＡＮ通信装置により使用される無線ＬＡＮチャネルを示す情報である。図２は、無線ＬＡＮチャネル管理情報の構成例である。ここでは、無線ＬＡＮチャネル番号とその無線ＬＡＮチャネルの使用有無（使用／未使用）が組として登録されている。この無線ＬＡＮチャネル管理情報１３Ａは、利用者の操作に応じて後述する制御部１４のチャネル受付手段１４Ｂにより受け付けられて記憶部１３へ保存される。
【００２８】
ＢＴチャネル管理情報１３Ｂは、当該無線通信装置１の無線データ通信で使用する各ブルートゥースチャネルの使用可否を示す情報である。図３は、ＢＴチャネル管理情報の構成例である。ここでは、各チャネル番号とそのチャネルの使用可否（可／不可）が組として登録されている。このＢＴチャネル管理情報１３Ｂは、無線ＬＡＮチャネル管理情報１３Ａで指定された使用無線ＬＡＮチャネルのチャネル番号が後述する制御部１４のチャネル受付手段１４Ｂによりブルートゥースチャネル番号に変換されて設定され記憶部１３へ保存される。
【００２９】
なお、無線ＬＡＮチャネル番号とブルートゥースチャネル番号とのチャネル変換には、図４に示すようなチャネル番号変換テーブルを用いてもよく、所定の数式により変換してもよい。このチャネル変換は、単位チャネル数に基づき行われる。単位チャネル数は、１つの無線ＬＡＮチャネルを使用した際に使用不可となるブルートゥースチャネルのチャネル数である。
【００３０】
図４に示すように、１つの無線ＬＡＮチャネルの使用周波数帯域幅が中心周波数に対して±１０ＭＨｚの場合、ブルートゥースチャネルの使用周波数帯域幅が１ＭＨｚであることから単位チャネル数＝２０となり、中心周波数に対して左右に１０チャネルずつブルートゥースチャネルが対応することになる。この際、無線ＬＡＮチャネルとブルートゥースチャネルとの間に余裕を持たせて、例えば単位チャネル数＝２４としてもよい。
【００３１】
制御部１４は、ＣＰＵなどのマイクロプロセッサとその周辺回路を有し、記憶部１３のプログラム１３Ｐを読み込んで実行することにより、上記ハードウェアとプログラムとを協働させ各種機能手段を実現する機能を有している。
主な機能手段としては、機能処理手段１４Ａ、チャネル受付手段１４Ｂ、チャネル数検査手段１４Ｃ、および通信条件設定手段１４Ｄがある。
【００３２】
機能処理手段１４Ａは、無線通信装置１で行う本来の機能を実現する機能処理を実行する機能を有している。機能処理の具体例としては、無線データ通信を用いた音声通話や各種情報処理などがある。
【００３３】
チャネル受付手段１４Ｂは、操作入力部１２で検出された利用者操作や装置外部から入力された指示情報に応じて、当該無線通信装置１の近傍でＩＳＭバンドを共用する無線ＬＡＮ通信装置で使用する使用無線ＬＡＮチャネルのチャネル番号を取得して、記憶部１３の無線ＬＡＮチャネル管理情報１３Ａに使用チャネルとして指定する機能と、その使用無線ＬＡＮチャネル番号に対応するブルートゥースチャネル番号を導出する機能と、得られたブルートゥースチャネル番号を記憶部１３のＢＴチャネル管理情報１３Ｂに使用不可チャネルとして指定する機能とを有している。
【００３４】
チャネル数検査手段１４Ｃは、記憶部１３のＢＴチャネル管理情報１３Ｂを参照して、使用可と指定されているチャネルの使用可チャネル数を計数する機能と、得られた使用可能チャネル数と当該無線通信装置１で行う無線データ通信に最低限必要なチャネル数であるミニマムチャネル数（しきい値）とを比較する機能と、比較の結果、使用可能チャネル数がミニマムチャネル数を下回っている場合はチャネル受付手段１４Ｂによる受け付けでエラーが発生した旨の警報（第１の警報）を表示部１１から出力する機能とを有している。
【００３５】
通信条件設定手段１４Ｄは、チャネル数検査手段１４Ｃにより、使用可チャネル数がミニマムチャネル数以上あることが確認された場合にのみ、チャネル受付手段で受け付けたチャネル使用可否を示す記憶部１３のＢＴチャネル管理情報１３Ｂの内容を、通信条件として無線モジュール１５へ設定する機能とを有している。
【００３６】
無線モジュール１５は、ブルートゥース無線通信方式に準拠した無線インターフェースを提供する機能モジュールであり、各種機能部が無線通信装置１を構成する１つの構成要素として一体に実装されている。
無線モジュール１５に設けられている主な機能部としては、無線送受信部１６、モジュール制御部１７、およびモジュール記憶部１８がある。
【００３７】
無線送受信部１６は、ブルートゥース無線通信方式に準拠して無線信号を送受信する回路部であり、相手無線装置２との間で無線信号を送受信することにより無線回線３を介した無線データ通信を行う機能を有している。この際、無線送受信部１６は、周波数ホッピング・スペクトラム拡散変調方式に基づき２．４ＧＨｚ帯に１ＭＨｚ間隔で設けた７９個または２３個のチャネルをモジュール制御部１７からの指示に基づき周波数ホッピングを繰り返し、その周波数ホッピングで選択したチャネルを用いて相手無線装置２とデータ通信を行う。
【００３８】
モジュール記憶部１８は、メモリなどの記憶装置からなり、モジュール制御部１７での処理動作に用いる各種処理情報を記憶する機能を有している。モジュール記憶部１８で記憶する主な処理情報として、チャネルテーブル１８Ａがある。
チャネルテーブル１８Ａは、周波数ホッピング・スペクトラム拡散変調方式で順次選択する各チャネルの使用可否を管理するための処理情報であり、チャネル番号ごとに当該チャネルの使用可否情報が対応付けて登録されている。
このほか、モジュール記憶部１８には、モジュール制御部１７に読み込まれて実行されることにより各種機能手段を実現するためのプログラムなどを予め格納しておいてもよい。
【００３９】
モジュール制御部１７は、ＣＰＵとその周辺回路からなるハードウェアとこれらＣＰＵあるいは周辺回路に設けたメモリ（図示せず）やモジュール記憶部１８に予め格納されているプログラムとを協働させることにより、ブルートゥース無線通信方式に準拠して無線送受信部１６を制御するための機能手段を実現する。
【００４０】
このモジュール制御部１７で実現される主な機能手段としては、通信制御手段１７Ａがある。
通信制御手段１７Ａは、無線送受信部１６を制御して相手無線装置２と制御部１４との間のデータ通信を制御する機能と、周波数ホッピング・スペクトラム拡散変調方式に基づき、相手無線装置２との間でデータ通信開始時に取り決めたチャネル選択順に基づき各チャネルのうちからいずか１つを順次選択して無線送受信部１６へ指示する機能とを有している。この際、通信制御手段１７Ａは、モジュール記憶部１８のチャネルテーブル１８Ａを参照し、チャネル選択順にしたがって選択される次のチャネルが使用不可の場合、後続する使用可のチャネルまでスキップし、その使用可のチャネルを選択する。
【００４１】
このほか、通信制御手段１７Ａは、データ通信時に周波数ホッピングで選択したチャネルでの相手無線装置２との通信状況を制御部１４へ通知する機能と、制御部１４からの指示に応じてモジュール記憶部１８のチャネルテーブル１８Ａについて任意のチャネルの使用可否情報を更新する機能と、制御部１４からの指示に応じてモジュール記憶部１８のチャネルテーブル１８Ａを相手無線装置２へ通知して更新する機能とを有している。
【００４２】
［第１の実施の形態の動作］
次に、図５を参照して、本発明の第１の実施の形態にかかる無線通信装置の動作について説明する。図５は、本発明の第１の実施の形態にかかる無線通信装置の動作として通信条件設定処理を示すフローチャート図である。
【００４３】
ここでは、無線通信装置１において、当該無線通信装置１の近傍でＩＳＭバンドを共用する無線ＬＡＮ通信装置により使用される無線ＬＡＮチャネルのチャネル番号を入力して、この使用無線ＬＡＮチャネル番号に応じたブルートゥースチャネル番号を使用不可に指定し、各ブルートゥースチャネルを使用可否を当該無線通信装置１の無線データ通信で用いる通信条件として設定する場合を例として説明する。
【００４４】
利用者による通信条件設定要求操作が操作入力部１２を介して検出された場合、無線通信装置１の制御部１４は、図５の通信条件設定処理を開始する。
まず、制御部１４は、チャネル受付手段１４Ｂにより、記憶部１３のＢＴチャネル管理情報１３Ｂを初期化する（ステップ１００）。この際、ＢＴチャネル管理情報１３Ｂの全チャネルを使用可と初期化してもよく、モジュール記憶部１８からすでに設定されているチャネルテーブル１８Ａを読み出して、ＢＴチャネル管理情報１３Ｂへ反映させようにしてもよい。
【００４５】
続いて、チャネル受付手段１４Ｂは、利用者の入力操作に応じて操作入力部１２から使用無線ＬＡＮチャネルのチャネル番号を取得し（ステップ１０１）、例えば図４のチャネル変換テーブルを用いて使用無線ＬＡＮチャネル番号をブルートゥースチャネル番号に変換し、記憶部１３のＢＴチャネル管理情報１３Ｂのうち、変換して得られたチャネル番号のチャネルを使用不可に指定する（ステップ１０２）。この際、使用無線ＬＡＮチャネル番号が複数入力された場合には、それぞれの使用無線ＬＡＮチャネル番号について、上記と同様のチャネル使用不可指定を行う。
【００４６】
次に、制御部１４は、チャネル数検査手段１４Ｃにより、ＢＴチャネル管理情報１３Ｂのうち使用可に指定されているチャネルの使用可チャネル数と、当該無線通信装置１での無線データ通信に最低限必要なミニマムチャネル数（しきい値）とを比較する（ステップ１０３）。
ここで、使用可チャネル数がミニマムチャネル数を下回っている場合（ステップ１０４：ＮＯ）、使用可チャネルが削減されて当該無線通信装置１での無線データ通信に支障を来すため、入力された使用無線ＬＡＮチャネルを優先的に使用できるよう設定できずエラーが発生した旨のエラー表示を表示部１１で行う（ステップ１０５）。
【００４７】
これにより、使用可チャネル数がミニマムチャネル数を下回っている場合には、入力された使用無線ＬＡＮチャネルと重複する搬送周波数を用いるブルートゥースチャネルを使用不可とする通信条件は設定されず、エラー表示の後、ステップ１００へ戻って通信条件設定処理を再度開始する。この際、ステップ１００へ戻らず、一連の通信条件処理を終了してもよい。
【００４８】
一方、使用可チャネル数がミニマムチャネル数以上存在する場合（ステップ１０４：ＹＥＳ）、制御部１４は、通信条件設定手段１４Ｄにより、ＢＴチャネル管理情報１３Ｂの内容に基づき、無線モジュール１５のチャネルテーブル１８Ａを更新し（ステップ１０６）、一連の通信条件設定処理を終了する。
これにより、入力された使用無線ＬＡＮチャネルと重複する搬送周波数を用いるブルートゥースチャネルが使用不可に設定され、残りの使用可チャネルを用いた無線データ通信が開始される。
【００４９】
このように、本実施の形態は、チャネル受付手段１４Ｂで受け付けたチャネル使用可否を無線データ通信の通信条件として通信条件設定手段１４Ｄで設定する際、使用可と指定されたチャネルの使用可チャネル数と所定のしきい値をチャネル数検査手段１４Ｃで比較し、その比較結果に応じて警報を出力するようにしたので、例えば無線ＬＡＮ通信装置で用いる使用無線ＬＡＮチャネルに応じたブルートゥースチャネル番号が使用不可と指定された場合に使用可チャネル数が検査され、その使用可チャネル数が当該無線通信装置１での無線データ通信に最低限必要なミニマムチャネル数を下回った場合に、自動的にエラー表示を行うことができる。
【００５０】
したがって、使用可チャネル数が削減されて当該無線通信装置１での無線データ通信に支障を来す程度まで、利用者により使用無線ＬＡＮチャネルが指定された場合には、その指定に対してエラー表示により直ちに警告することができる。
これにより、当該無線通信装置１での無線データ通信において同一チャネルが繰り返し使用されて、当該チャネル当たりの平均空中線電力が規定値を上回ってしまい、ＩＳＭバンドを使用する他の無線通信システムに悪影響を与えてしまうという事態を事前に回避でき、結果としてＩＳＭバンドでの無線通信環境を良好に保つことができる。
【００５１】
また、本実施の形態において、チャネル数検査手段１４Ｃにより、使用可チャネル数が無線データ通信に最低限必要なミニマムチャネル数以上あることが確認された場合にのみ、チャネル受付手段で受け付けたチャネル使用可否を通信条件として設定するようにしたので、ＩＳＭバンドを使用する他の無線通信システムに悪影響を与えないことを確認した上で、通信条件を設定することができ、ＩＳＭバンドでの良好な無線通信環境を確実に保つことができる。
【００５２】
なお、本実施の形態では、チャネル受付手段１４Ｂにより、使用無線ＬＡＮチャネルのチャネル番号を受け付ける場合を例として説明したが、使用不可とするブルートゥースチャネルを受け付けてもよい。
【００５３】
［第２の実施の形態］
次に、図６を参照して、本発明の第２の実施の形態にかかる無線通信装置について説明する。図６は、本発明の第２の実施の形態にかかる無線通信装置の動作として通信条件設定操作を示すフローチャートであり、前述の図５と同じまたは同等部分には同一符号を付してある。
【００５４】
第１の実施の形態では、使用可チャネル数とミニマムチャネル数とを比較し、使用可チャネル数がミニマムチャネル数を下回った場合にエラー表示を行う場合について説明した。本実施の形態では、使用可チャネル数と追加使用可否判定チャネル数を比較し、使用可チャネル数が追加使用可否判定チャネル数を下回った場合、新たな無線ＬＡＮチャネルを追加使用できない旨の警報を出力する場合について説明する。なお、無線通信装置の構成については、第１の実施の形態（図１参照）と同様であり、ここでの詳細な説明は省略する。
【００５５】
無線通信装置１の制御部１４は、前述した図５と同様にしてステップ１００−１０５を実行する。その際、ステップ１０４において、使用可チャネル数がミニマムチャネル数以上存在する場合（ステップ１０４：ＮＯ）、使用可チャネル数を、ミニマムチャネル数と単位チャネル数の和からなる追加使用可否判定チャネル数と比較する（ステップ１１０）。この単位チャネル数は、１つの無線ＬＡＮチャネルを使用した際に使用不可となるブルートゥースチャネルのチャネル数であり、１つの無線ＬＡＮチャネルの使用周波数帯域幅が中心周波数に対して±１０ＭＨｚの場合、単位チャネル数＝２０となる。この際、無線ＬＡＮチャネルとブルートゥースチャネルとの間に余裕を持たせて、例えば単位チャネル数＝２４としてもよい。
【００５６】
ここで、使用可チャネル数が追加使用可否判定チャネル数を下回った場合（ステップ１１１：ＹＥＳ）、新たな使用無線ＬＡＮチャネルの追加使用が不可である旨のアラーム表示し（ステップ１１２）、前述のステップ１０６へ移行する。
また、使用可チャネル数が追加使用可否判定チャネル数以上存在する場合（ステップ１１０：ＮＯ）、制御部１４は、ステップ１０６へ移行して、通信条件設定手段１４Ｄにより、ＢＴチャネル管理情報１３Ｂの内容に基づき、無線モジュール１５のチャネルテーブル１８Ａを更新し（ステップ１０６）、一連の通信条件設定処理を終了する。
【００５７】
このように、本実施の形態は、使用可チャネル数と追加使用可否判定チャネル数を比較し、使用可チャネル数が追加使用可否判定チャネル数を下回った場合、新たな無線ＬＡＮチャネルを追加使用できない旨の警報を出力するようにしたので、例えば無線ＬＡＮ通信装置で用いる使用無線ＬＡＮチャネルが設定されてブルートゥースチャネルの使用可チャネル数が削減された場合、新たな無線ＬＡＮチャネルを追加使用できない旨を、利用者に対して自動的に通知することができる。
【００５８】
なお、ステップ１０１において、無線モジュール１５のチャネルテーブル１８Ａを読み込んでＢＴチャネル管理情報１３Ｂを初期化する場合には、ステップ１０２へ移行する前に、ステップ１１０，１１１を実行し、すでに使用可チャネル数が追加使用可否判定チャネル数を下回っている場合には（ステップ１１１：ＮＯ）、新たな使用無線ＬＡＮチャネルの追加使用が不可である旨のアラーム表示（第２の警報）を行い（ステップ１１２）、一連の通信条件設定処理を終了するようにしてもよい。これにより、利用者が使用無線ＬＡＮチャネルを追加指定する際、現行の通信条件に基づき事前に追加の可否を判断でき、利用者に通知することができる。
【００５９】
［実施の形態の拡張］
以上の各実施の形態では、チャネル受付手段１４Ｂ、チャネル数検査手段１４Ｃ、通信条件設定手段１４Ｄをすべて制御部１４に設けた場合を例として説明したが、これら手段の一部またはすべてをモジュール制御部１７で実現してもよく、ブルートゥース無線通信方式のアダプティブ周波数ホッピング機能の１つとして無線モジュール内に実装できる。これにより、制御部１４での処理を大幅に軽減でき、全体として安価な無線通信装置を実現できる。
【００６０】
また、各実施の形態では、ブルートゥース無線通信装置と無線ＬＡＮ通信装置とがＩＳＭバンドを共用する場合を例として説明したが、これに限定されるものではない。各無線通信方式の無線通信装置のうち、いずれか一方または両方が、ブルートゥース無線通信方式や無線ＬＡＮ通信方式と同等の通信方式を用いる無線通信装置であれば、前述と同様に適用でき、同様の作用効果が得られる。
【図面の簡単な説明】
【００６１】
【図１】本発明の第１の実施の形態にかかる無線通信装置の構成を示すブロック図である。
【図２】無線ＬＡＮチャネル管理情報の構成例である。
【図３】ＢＴチャネル管理情報の構成例である。
【図４】チャネル番号変換テーブルの構成例である。
【図５】本発明の第１の実施の形態にかかる無線通信装置の動作として通信条件設定処理を示すフローチャート図である。
【図６】本発明の第２の実施の形態にかかる無線通信装置の動作として通信条件設定処理を示すフローチャート図である。
【符号の説明】
【００６２】
１…無線通信装置、１１…表示部、１２…操作入力部、１３…記憶部、１３Ａ…無線ＬＡＮチャネル管理情報、１３Ｂ…ＢＴチャネル管理情報、１３Ｐ…プログラム、１４…制御部、１４Ａ…機能処理手段、１４Ｂ…チャネル受付手段、１４Ｃ…チャネル数検査手段、１４Ｄ…通信条件設定手段、２…相手無線装置、３…無線回線。
【図１】
0004604941.tif 000002
【図２】
0004604941.tif 000003
【図３】
0004604941.tif 000004
【図４】
0004604941.tif 000005
【図５】
0004604941.tif 000006
【図６】
0004604941.tif 000007